(57)【要約】【課題】各種電子機器に用いられるスイッチに関し、簡易な構成でレバーの大きな戻り力が得られ、動作の確実なものを提供することを目的とする。【解決手段】支点部３Ａと接触部１４Ｃ間の縦寸法Ｈを、段差部１１Ａの高さ分だけ短く形成し、レバー３揺動操作時の、支点部３Ａに対する接触部１４Ｃを、傾斜角度θが１０〜２０度の位置に配置することによって、簡易な構成で、レバー３の戻り力を大きくすることが可能となり、動作の確実なスイッチを得ることができる。【選択図】図１
2008117548.tif 000002
【特許請求の範囲】
【請求項１】
内底面に固定接点が植設された略箱形のケースと、このケース内に一端の支点部を支点として揺動可能に収納されると共に、他端に形成された操作部が上方へ突出したレバーと、このレバーの操作部下面にアーム部の一端が固着され、アーム部他端の接触部が上記ケース内底面または上記固定接点に弾接した可動接点からなり、上記レバー揺動操作時の、上記支点部に対する上記可動接点の接触部を、傾斜角度１０〜２０度の位置に配置したスイッチ。
【発明の詳細な説明】
【技術分野】
【０００１】
本発明は、各種電子機器において、主に記録媒体の有無やメカニズムの動作検出等に用いられるスイッチに関するものである。
【背景技術】
【０００２】
近年、ビデオやパソコン等の各種電子機器の小型化や高機能化が進むなか、これらのテープやディスク等の記録媒体の有無、或いはツマミや扉等のメカニズムの動作検出等に用いられる検出用スイッチにおいても、小型薄型で動作の確実なものが求められている。
【０００３】
このような従来のスイッチについて、図５及び図６を用いて説明する。
【０００４】
図５は従来のスイッチの断面図であり、同図において、１は絶縁樹脂製で上面開放の略箱形のケース、２は導電金属薄板製の固定接点で、複数の固定接点２がケース１の内底面に植設固定されると共に、その端子部（図示せず）が各々外方へ延出している。
【０００５】
そして、３は絶縁樹脂製のレバーで、左端の支点部３Ａを支点としてケース１内に揺動可能に収納されると共に、右端にはケース１上面から上方へ突出する操作部３Ｂが形成されている。
【０００６】
また、４は弾性金属薄板製の可動接点で、アーム部４Ａ右端の保持部４Ｂが、操作部３Ｂ下面にインサート成形されてレバー３に固着されると共に、やや撓んだ状態のアーム部４Ａ左端に形成された略円弧状の接触部４Ｃが、ケース１の内底面に弾接している。
【０００７】
さらに、５は金属薄板製のカバーで、このカバー５がケース１上面の開口部を覆うと共に、カバー５の貫通孔５Ａからレバー３の操作部３Ｂが上方へ突出して、スイッチが構成されている。
【０００８】
そして、このように構成されたスイッチは、上下面に複数の配線パターンが形成された配線基板（図示せず）上に載置され、ケース１から延出した固定接点２の端子部が、所定の配線パターンに半田付けされて、機器の電子回路（図示せず）に電気的に接続される。
【０００９】
以上の構成において、テープやディスク等の記録媒体の挿抜、或いはツマミや扉等のメカニズムの動作によって、ケース１上方へ突出した操作部３Ｂが下方へ押圧操作されると、図６の断面図に示すように、レバー３が支点部３Ａ上面を支点として下方へ揺動する。
【００１０】
そして、このレバー３の揺動に伴って、可動接点４のアーム部４Ａがさらに撓むと共に、アーム部４Ａ左端の接触部４Ｃが、左方の固定接点２の方向へケース１内底面上を弾接摺動し、操作部３Ｂが下方へ所定量移動すると、接触部４Ｃが固定接点２上に弾接し、可動接点４を介して複数の固定接点２が電気的に接続される。
【００１１】
また、レバー３が最後まで揺動操作され、操作部３Ｂがケース１内底面に当接した状態から、レバー３への操作力が解除されると、可動接点４の弾性復帰力によって、レバー３が上方に押圧されて揺動すると共に、接触部４Ｃも固定接点２から右方のケース１内底面へ弾接揺動して、図５に示した元の状態に復帰する。
【００１２】
そして、このスイッチの電気的接離によって、テープやディスク等の記録媒体の有無、或いはツマミや扉等のメカニズムの動作等を、機器の電子回路が検出するようになっている。
【００１３】
なお、この時、レバー３を元の状態に戻す可動接点４の弾性復帰力は、図６に示すように、レバー３左端の支点部３Ａに対する、接触部４Ｃの中心位置の傾斜角度θが大きいほど、接触部４Ｃに働く右方向の力、即ち戻り方向の分力が大きくなり、確実にレバー３を復帰させることができる。
【００１４】
つまり、可動接点４のアーム部４Ａを短い寸法としたり、操作部３Ｂとケース１内底面の間に隙間を設けたりすることによって、接触部４Ｃの中心位置を右方向に移動させれば、傾斜角度θを大きくすることができる。
【００１５】
ただし、このようにアーム部４Ａを短くした場合には、アーム部４Ａの撓み量も変化して、接触部４Ｃが固定接点２に弾接する力が小さくなり、また、操作部３Ｂを途中までしか移動させない場合には、レバー３の下方への移動量が小さなものとなってしまう。
【００１６】
このため、傾斜角度θは通常９度前後と小さくなっており、上記のように接触部４Ｃの弾接力やレバー３の移動量等を変えずに、レバー３の戻り力を大きくするには、別途レバー３を上方へ付勢するばね部材を設ける等の、対策が必要となるものであった。
【００１７】
なお、この出願の発明に関連する先行技術文献情報としては、例えば、未公開自社出願の特願２００５−１４２６４１号がある。
【発明の開示】
【発明が解決しようとする課題】
【００１８】
しかしながら、上記従来のスイッチにおいては、スイッチの外形寸法や接触部４Ｃの弾接力、レバー３の移動量等を変えずに、レバー３の戻り力を大きくするには、別途レバー３を上方へ付勢するばね部材等が必要となるため、構成が複雑となり、使用部品も増え製作にも時間を要するという課題があった。
【００１９】
本発明は、このような従来の課題を解決するものであり、簡易な構成でレバーの大きな戻り力が得られ、動作の確実なスイッチを提供することを目的とする。
【課題を解決するための手段】
【００２０】
上記目的を達成するために本発明は、レバー揺動操作時の、レバーの支点部に対する可動接点の接触部を、傾斜角度１０〜２０度の位置に配置してスイッチを構成したものであり、レバーの支点部と可動接点の接触部間の、上下方向の寸法を短く形成することで、支点部に対する接触部の傾斜角度を大きくすることができるため、簡易な構成で、レバーの戻り力を大きくすることが可能となり、動作の確実なスイッチを得ることができるという作用を有するものである。
【発明の効果】
【００２１】
以上のように本発明によれば、簡易な構成で、動作の確実なスイッチを実現することができるという有利な効果が得られる。
【発明を実施するための最良の形態】
【００２２】
以下、本発明の実施の形態について、図１〜図４を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるスイッチの断面図、図２は同分解斜視図であり、同図において、１１は液晶ポリマーやポリフェニレンサルファイド等の絶縁樹脂製で上面開放の略箱形のケース、２は銅合金等の導電金属薄板製の固定接点で、ケース１１の左内底面には上方への段差部１１Ａが設けられると共に、この段差部１１Ａに複数の固定接点２がインサート成形等によって植設固定され、固定接点２の端子部は各々外方へ延出している。
【００２５】
そして、３は液晶ポリマーやナイロン等の絶縁樹脂製のレバーで、左端の略円柱状の支点部３Ａを支点として、ケース１１内に揺動可能に収納されると共に、右端にはケース１１上面から上方へ突出する操作部３Ｂが形成されている。
【００２６】
また、１４は銅合金等の弾性金属薄板製の可動接点で、二つのアーム部１４Ａを連結する右端の保持部１４Ｂが、操作部３Ｂ下面にインサート成形されてレバー３に固着されると共に、やや撓んだ状態のアーム部１４Ａ左端に形成された略円弧状の接触部１４Ｃが、ケース１１左内底面の段差部１１Ａ上面に弾接している。
【００２７】
つまり、レバー３の支点部３Ａ上面と可動接点１４の接触部１４Ｃ間の、上下方向の縦寸法Ｈは、ケース１１に形成された段差部１１Ａの高さ分だけ、短い寸法に形成されている。
【００２８】
さらに、５は鋼板等の金属薄板製のカバーで、このカバー５がケース１１上面の開口部を覆うと共に、カバー５の貫通孔５Ａからレバー３の操作部３Ｂが上方へ突出して、スイッチが構成されている。
【００２９】
そして、このように構成されたスイッチは、上下面に複数の配線パターンが形成された配線基板（図示せず）上に載置され、ケース１１から延出した固定接点２の端子部が、所定の配線パターンに半田付けされて、機器の電子回路（図示せず）に電気的に接続される。
【００３０】
以上の構成において、テープやディスク等の記録媒体の挿抜、或いはツマミや扉等のメカニズムの動作によって、ケース１１上方へ突出した操作部３Ｂが下方へ押圧操作されると、図３の断面図に示すように、レバー３がカバー５下面に当接した支点部３Ａ上面を支点として下方へ揺動する。
【００３１】
そして、このレバー３の揺動に伴って、可動接点１４のアーム部１４Ａがさらに撓むと共に、アーム部１４Ａ左端の接触部１４Ｃが、左方の固定接点２の方向へ段差部１１Ａ上面を弾接摺動し、操作部３Ｂが下方へ所定量移動すると、接触部１４Ｃが固定接点２上に弾接し、可動接点１４を介して複数の固定接点２が電気的に接続される。
【００３２】
また、レバー３が最後まで揺動操作され、操作部３Ｂがケース１１内底面に当接した状態から、レバー３への操作力が解除されると、可動接点１４の弾性復帰力によって、レバー３が上方に押圧されて揺動すると共に、接触部１４Ｃも固定接点２から右方の段差部１１Ａ上面へ弾接摺動して、図１に示した元の状態に復帰する。
【００３３】
そして、このスイッチの電気的接離によって、テープやディスク等の記録媒体の有無、或いはツマミや扉等のメカニズムの動作等を、機器の電子回路が検出するようになっている。
【００３４】
なお、図３に示すように、レバー３が揺動操作され、操作部３Ｂがケース１１内底面に当接した状態では、上述したように、支点部３Ａ上面と可動接点１４の接触部１４Ｃ間の、上下方向の縦寸法Ｈがケース１１の段差部１１Ａの高さ分だけ短くなっているため、支点部３Ａに対する接触部４Ｃの中心位置の傾斜角度θが、１０〜２０度と大きなものとなっている。
【００３５】
つまり、支点部３Ａと接触部１４Ｃ間の縦寸法Ｈを、段差部１１Ａの高さ分だけ短く形成することで、レバー３を揺動操作した時に、支点部３Ａに対して接触部１４Ｃが、傾斜角度θが１０〜２０度の位置で配置されるようになっているため、接触部１４Ｃに働く右方向の力、即ち戻り方向の分力が大きくなるように構成されている。
【００３６】
すなわち、スイッチの外形寸法や接触部１４Ｃの固定接点２への弾接力、レバー３の移動量等を変えることなく、簡易な構成のままで、レバー３を元の状態に戻す可動接点１４の弾性復帰力が大きくなり、確実にレバー３を復帰させることが可能なようになっている。
【００３７】
なお、支点部３Ａに対する接触部１４Ｃの傾斜角度θが２０度を超えると、可動接点１４のアーム部１４Ａの撓み量が変化してしまい、接触部１４Ｃの固定接点２への弾接力やレバー３の揺動操作力も変わってしまうため、傾斜角度θは１０〜２０度、できれば１５〜１８度に設けることが好ましい。
【００３８】
このように本実施の形態によれば、支点部３Ａと接触部１４Ｃ間の縦寸法Ｈを、段差部１１Ａの高さ分だけ短く形成し、レバー３揺動操作時の、支点部３Ａに対する接触部１４Ｃを、傾斜角度θが１０〜２０度の位置に配置することによって、簡易な構成で、レバー３の戻り力を大きくすることが可能となり、動作の確実なスイッチを得ることができるものである。
【００３９】
なお、以上の説明では、ケース１１の左内底面に上方への段差部１１Ａを形成し、この段差部１１Ａの高さ分だけ、支点部３Ａと接触部１４Ｃ間の縦寸法Ｈを短くする構成について説明したが、図４の断面図に示すように、ケース１５の内底面は平坦なままとし、この左側壁部１５Ａを低く形成すると共に、この上面を覆うカバー１６の左方に段差部１６Ａを設けることで、支点部３Ａと接触部１４Ｃ間の縦寸法Ｈを短く形成する構成としても、本発明の実施は可能であり、同様の効果を得ることができる。
【００４０】
また、以上の説明では、レバー３の揺動操作によって、可動接点１４を介して複数の固定接点２を電気的に接続させ、操作力の解除によって電気的に切断する構成について説明したが、これとは逆に、固定接点２をケース１１や１５の内底面中央に植設し、非操作時には可動接点１４の接触部１４Ｃを、固定接点２に弾接させて電気的に接続し、揺動操作時には電気的に切断する構成としてもよい。
【産業上の利用可能性】
【００４１】
本発明によるスイッチは、簡易な構成でレバーの大きな戻り力が得られ、動作の確実なものを得ることができ、主に各種電子機器に使用される検出用スイッチとして有用である。
【図面の簡単な説明】
【００４２】
【図１】本発明の一実施の形態によるスイッチの断面図
【図２】同分解斜視図
【図３】同操作時の断面図
【図４】同他の実施の形態によるスイッチの断面図
【図５】従来のスイッチの断面図
【図６】同操作時の断面図
【符号の説明】
【００４３】
２  固定接点
３  レバー
３Ａ  支点部
３Ｂ  操作部
５、１６  カバー
５Ａ  貫通孔
１１、１５  ケース
１１Ａ、１６Ａ  段差部
１４  可動接点
１４Ａ  アーム部
１４Ｂ  保持部
１４Ｃ  接触部
１５Ａ  左側壁部
【図１】
2008117548.tif 000003
【図２】
2008117548.tif 000004
【図３】
2008117548.tif 000005
【図４】
2008117548.tif 000006
【図５】
2008117548.tif 000007
【図６】
2008117548.tif 000008